(57)【要約】【課題】安全性を有し且つ切り花などを安定させて支えることができる安全プレートを備えた安全プレート付植物用押切を提供する。【解決手段】安全プレート付植物用押切１００は、安全プレート５０を有しており、この安全プレート５０は、板状の予め定められた大きさであり、第１の刃物２０の第２の刃部３０ａと噛み合わない側面の略垂直方向に設けられている。安全プレート５０は、植物の茎などを安定させて支えることができ且つ安全性を有するように、第１の刃部２０ａに沿うように設けられており、植物を剪定するときに、植物の茎などを安全プレート５０に置くことで安定した作業を行うことができ、また人の手が刃部に接することがないように防御する機能を有している。【選択図】図１
0003215470.tif 000002
【実用新案登録請求の範囲】
【請求項１】
台座と第１の刃物と第２の刃物を有し、
前記第１の刃物は、前記台座に固定され、
前記第１の刃物と前記第２の刃物は、それぞれの一方の端部を中心として回動自在になるように形成されており、
前記第２の刃物の他方の端部に把持部が設けられており、前記把持部を用いて前記第１の刃物の第１の刃部と前記第２の刃物の第２の刃部との間に配置された植物の茎などを押切することで、前記第１の刃部と前記第２の刃部が噛み合い前記植物の茎などが切断され剪定される安全プレート付植物用押切であって、
前記第２の刃部と噛み合わない前記第１の刃物の側面の略垂直方向に、予め定められた大きさの板状の安全プレートが設けられており、
前記安全プレートは、前記植物の茎などを安定させて支え且つ安全性を有するように、前記第１の刃部に沿うように設けられていることを特徴とする安全プレート付植物用押切。
【請求項２】
前記第１の刃部は、凹状であり、
前記第２の刃部は、前記凹状に対応するように形成されている凸状であり、
前記安全プレートは、前記凹状に対応するように形成されていることを特徴とする請求項１に記載の安全プレート付植物用押切。
【請求項３】
前記安全プレートは、前記第１の刃物と一体的になるように形成されており、または、着脱可能な構成で一体的に形成されていることを特徴とする請求項１または請求項２に記載の安全プレート付植物用押切。
【請求項４】
前記第１の刃部と前記第２の刃部の刃渡りは、略１６０ｍｍであり、
前記安全プレートは、前記第１の刃物の側面に固定されている長さが、略１００ｍｍであり、前記略垂直方向の長さが、略３０ｍｍであることを特徴とする請求項１から請求項３のいずれかに記載の安全プレート付植物用押切。
【請求項５】
前記安全プレートは、コの字状になるように安全プレート支持部が設けられており、
前記安全プレート支持部は、前記台座に固定されるように構成されていることを特徴とする請求項１から請求項４のいずれかに記載の安全プレート付植物用押切。
【考案の詳細な説明】
【技術分野】
【０００１】
本考案は、安全プレート付植物用押切に関する。
【背景技術】
【０００２】
従来、切り花などをバラける事なく揃えて切ることができ、剪定刃を用いて切り口を傷めずに切断できるように、刃部は、特殊鋼に特殊熱処理加工が施され錆にくく滑らかな刃物鋼硬質クロームメッキ仕上げで形成されている刃渡り約１６０ｍｍの剪定型押切として機能する植物用押切が普及していた。
【先行技術文献】
【非特許文献】
【０００３】
【非特許文献１】意匠登録第１１４６５７６号公報
【考案の概要】
【考案が解決しようとする課題】
【０００４】
上記の植物用押切は、切り花などを切断するときに、安全性及び安定して切り花などを支えるという面で問題があり、より安全で且つ簡易に作業できるものが求められていた。
【０００５】
本考案は、こうした点に鑑みてなされたものであり、安全性を有し且つ切り花などを安定させて支えることができる安全プレートを備えた安全プレート付植物用押切を提供するものである。
【課題を解決するための手段】
【０００６】
上記課題を解決するために、本考案に係る安全プレート付植物用押切は、台座と第１の刃物と第２の刃物を有し、前記第１の刃物は、前記台座に固定され、前記第１の刃物と前記第２の刃物は、それぞれの一方の端部を中心として回動自在になるように形成されており、前記第２の刃物の他方の端部に把持部が設けられており、前記把持部を用いて前記第１の刃物の第１の刃部と前記第２の刃物の第２の刃部との間に配置された植物の茎などを押切することで、前記第１の刃部と前記第２の刃部が噛み合い前記植物の茎などが切断され剪定される安全プレート付植物用押切であって、前記第１の刃物の前記第２の刃部と噛み合わない側面の略垂直方向に、予め定められた大きさの板状の安全プレートが設けられており、前記安全プレートは、前記植物の茎などを安定させて支え且つ安全性を有するように、前記第１の刃部に沿うように設けられていることを特徴とする。
【０００７】
本考案に係る安全プレート付植物用押切の態様について、前記第１の刃部は、凹状であり、前記第２の刃部は、前記凹状に対応するように形成されている凸状であり、前記安全プレートは、前記凹状に対応するように形成されていることが好ましい。
【０００８】
本考案に係る安全プレート付植物用押切の態様について、前記安全プレートは、前記第１の刃物と一体的になるように形成されており、または、着脱可能な構成で一体的に形成されていることが好ましい。
【０００９】
本考案に係る安全プレート付植物用押切の態様について、前記第１の刃部と前記第２の刃部の刃渡りは、略１６０ｍｍであり、前記安全プレートは、前記第１の刃物の側面に固定されている長さが、略１００ｍｍであり、前記略垂直方向の長さが、略３０ｍｍであることが好ましい。
【００１０】
本考案に係る安全プレート付植物用押切の態様について、前記安全プレートは、コの字状になるように安全プレート支持部が設けられており、前記安全プレート支持部は、前記台座に固定されるように構成されていることが好ましい。
【考案の効果】
【００１１】
本考案によれば、安全性を有し且つ切り花などを安定させて支えることができる安全プレートを備えた安全プレート付植物用押切を提供することができる。
【図面の簡単な説明】
【００１２】
【図１】実施形態の安全プレート付植物用押切の一例を示す模式図である。
【図２】安全プレート付植物用押切及び従来の植物用押切の一例を示す参考図である。
【考案を実施するための形態】
【００１３】
以下、本考案の安全プレート付植物用押切の実施形態を、図１及び図２を用いて説明する。図１は、安全プレート付植物用押切１００の一例を示す模式図であり、図２（ａ）は、安全プレート付植物用押切１００の一例を示す参考図であり、図２（ｂ）は、従来の植物用押切１００Ａの一例を示す参考図である。
【００１４】
実施形態の安全プレート付植物用押切１００は、台座１０と第１の刃物２０と第２の刃物３０を有しており、第１の刃物２０は、台座１０に固定されている。この例において、台座１０と第１の刃物２０は、金属の固定部材を用いて固定されている。
【００１５】
第１の刃物２０と第２の刃物３０は、それぞれの一方の端部を中心として回動自在になるように形成されており、例えば、枢支ピンを中心として回動自在になるように形成されているが、これに限定されず第１の刃物２０と第２の刃物３０が端部を中心として回動自在となるような構成であればよい。
【００１６】
第２の刃物３０の他方の端部には、把持部４０が設けられている。把持部４０は、第１の刃物２０の第１の刃部２０ａと第２の刃物３０の第２の刃部３０ａとの間に配置された植物の茎などを剪定するために、押切するためのものであり、押切することで第１の刃部２０ａと第２の刃部３０ａとが噛み合い、植物の茎などを切断し剪定することができる構成となっている。なお、実施形態においては、第１の刃物２０と第２の刃物３０を固定するためのストッパーを備えている。
【００１７】
上記の安全プレート付植物用押切１００は、安全プレート５０を有している構成となっている。安全プレート５０は、板状の予め定められた大きさであり、第１の刃物２０の側面、つまり第２の刃部３０ａと噛み合わない側面から略垂直の方向に、のびるように設けられている。また、安全プレート５０は、この例では、鉄材などの金属で形成されているが、これに限定されず適宜最適なものを選択すればよい。
【００１８】
このような構成の安全プレート５０は、植物の茎などを安定させて支えることができ、且つ安全性を有するように、第１の刃部２０ａに沿うように設けられている。すなわち、安全プレート付植物用押切１００を用いて植物を剪定するときに、この植物を安全プレート５０に置くことができ、安定した作業を行うことができ、また、この安全プレート５０は、人の手が上記の刃部に接することがないように防御する機能を有している。
【００１９】
この例において、第１の刃部２０ａは、凹状に形成されており、第２の刃部３０ａは、第１の刃部２０ａの凹状に対応するように凸状に形成されており、また、安全プレート５０は、第１の刃部２０ａの凹状に対応するように形成されている。なお、このような形状は一例であり、適宜最適な形状にすればよい。
【００２０】
安全プレート５０は、第１の刃物２０と一体的になるように形成されており、例えば、溶接で固着する構成であってもよく、また、安全プレート５０は、第１の刃物２０と嵌め込み式などの機能を用いて着脱可能な構成で一体的になるように形成されてもよい。なお、上記の構成は一例であり適宜最適な構成にすればよい。
【００２１】
この例においては、第１の刃部２０ａと第２の刃部３０ａの刃渡りは、略１６０ｍｍであり、安全プレート５０は、第１の刃物２０の側面に固定されている長さが、略１００ｍｍであり、略垂直方向の長さが、略３０ｍｍである。このような形状にすることで、扱いやすい構成にすることができるが、これに限定されず適宜最適な形状にすればよい。
【００２２】
また、安全プレート５０は、コの字状になるように安全プレート支持部５０ａを設けてもよい。安全プレート支持部５０ａは、台座１０に固定されるように構成されており、このようにすることにより、安全プレート５０を、より強固なものにすることができる。
【００２３】
上記の特徴を有する安全プレート付植物用押切１００は、安全性を有し且つ切り花などを安定させて支えることができる安全プレートを備えたものであり、顕著な効果を有するものである。
【００２４】
以上、本考案の有する特徴及び優れた点を上記実施形態に記載したが、本考案は、本願の実用新案登録請求の範囲で使用されている言葉を広く一般的な意味に拡張して実施することができる。
【００２５】
また、本考案の安全プレート付植物用押切は、大きさや形状、素材の種類、厚さ、重さなどについては多様な実施形態が可能であり、それらについて本実施形態と異なる形態による実施は、本考案の技術的範囲に含まれる。
【符号の説明】
【００２６】
１００    安全プレート付植物用押切
１００Ａ  植物用押切
１０      台座
２０      第１の刃物
２０ａ    第１の刃部
３０      第２の刃物
３０ａ    第２の刃部
４０      把持部
５０      安全プレート
５０ａ    安全プレート支持部
【図１】
0003215470.tif 000003
【図２】
0003215470.tif 000004